【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
固体医薬品形態にある活性物質のユニットドーズを分与するための装置であって、
前記活性物質を含有する複数のユニットドーズを収納するチャンバであって、前記チャンバは、あるサイズの開口部を有する下底部を備え、且つ、前記開口部を通じて前記複数のユニットドーズのうちの１つを受け入れるように構成される、チャンバと、
前記チャンバの下底部にある開口部のサイズと同様のサイズの開口部を有するディスクであって、前記ディスクは、前記チャンバの下底部に対して近距離にあり且つねじれ運動をするように構成され、これにより、前記ディスクの開口部を、受け入れられたユニットドーズの分与を引き起こすように前記下底部の開口部と位置合わせすることができる、ディスクと、
前記チャンバの軸に沿って位置付けられ、且つ、前記ディスク及び前記チャンバの下底部を通じて前記チャンバ内に延在するように構成されたねじれシャフトであって、前記ねじれシャフトは、前記ディスクに、前記チャンバの下底部に対してねじれ運動をさせるように動作可能である、ねじれシャフトと、
を備える、装置。
【請求項２】
前記チャンバの内部の乾燥雰囲気を維持するように湿気を吸収するための材料をさらに備える、請求項１に記載の装置。
【請求項３】
前記チャンバ内に収容されたユニットドーズのそれぞれを動かなくするために、前記チャンバ内に収容された複数のユニットドーズに十分な圧力をかけるように構成された、前記チャンバの頂部をさらに備える、請求項１に記載の装置。
【請求項４】
前記装置は、前記ユニットドーズの分与をトリガするために、摺動型のユーザアクション及び回転型のユーザアクションを同時に要求するようにさらに構成される、請求項１に記載の装置。
【請求項５】
分与されたユニットドーズを収集するように構成された受け部をさらに備える、請求項１に記載の装置。
【請求項６】
包囲体であって、前記包囲体は内壁を備え、前記チャンバは前記包囲体の内壁によって構成される、包囲体
をさらに備える、請求項１に記載の装置。
【請求項７】
前記包囲体は熱成形される、請求項６に記載の装置。
【請求項８】
前記包囲体及び前記チャンバは、溶着、グルー又はクリップによって一緒に接合される、請求項６に記載の装置。
【請求項９】
前記包囲体は、前記包囲体の完全な状態の変更を証明するか、目立たせるか又は際立たせるように構成された、前記包囲体の脆弱領域又は弱い破壊域内に１つ以上の彫り込まれたか又は印刷された編み縄模様モチーフを備える、請求項６に記載の装置。
【請求項１０】
ユニットドーズがこれまで分与されていないことを証明するためのシール、接着剤ストリップ又はロック付属物をさらに備える、請求項１に記載の装置。
【請求項１１】
ユニットドーズがこれまで分与されていないことを証明するために、ユニットドーズの分与を阻止するように構成されたストッパをさらに備える、請求項１０に記載の装置。
【請求項１２】
処理ユニット、及び、前記処理ユニットの動作のための要求される電気エネルギーを供給する電力源を収容するハウジングであって、前記処理ユニットは、前記ユニットドーズの分与がトリガされるときの時間にそれぞれタイムスタンプを付与して記録するように構成されたタイマ及びメモリを備える、ハウジング
をさらに備える、請求項６に記載の装置。
【請求項１３】
ユニットドーズの分与を検出するように構成されたセンサと、
前記センサと協働する処理ユニット、及び、前記処理ユニットの動作のための必要な電気エネルギーを供給する電力源を収容するハウジングであって、前記処理ユニットは、前記センサによって検出されたユニットドーズの各分与にそれぞれタイムスタンプを付与して記録するように構成されたタイマ及びメモリをさらに備える、ハウジングと、
をさらに備える、請求項１に記載の装置。
【請求項１４】
前記包囲体は、前記チャンバ及び前記ハウジングを包囲する、請求項１２に記載の装置。
【請求項１５】
前記処理ユニットは、無線通信インターフェースを備える、請求項１２に記載の装置。
【請求項１６】
前記処理ユニットは、配線接続される通信インターフェースを備える、請求項１２に記載の装置。
【請求項１７】
前記処理ユニットは、ヒューマンマシンインターフェースに連結され、且つ、前記ヒューマンマシンインターフェースに、前記メモリ内に記憶されているか又は前記処理ユニットによって生成された情報を出力させるように構成される、請求項１２に記載の装置。
【請求項１８】
前記メモリは、その中に記憶されている第１の識別子及び第２の識別子を備え、前記第１の識別子及び前記第２の識別子は、それぞれ、前記装置専用、及び、前記包囲体が封止される前に前記チャンバを充填したオペレータ専用である、請求項１２に記載の装置。
【請求項１９】
前記メモリは、その中に記憶されている識別子を備え、前記識別子は、前記チャンバ内に収容されている固体剤形にある活性物質を特徴づける、請求項１２に記載の装置。
【請求項２０】
前記処理ユニットのメモリは消去不能である、請求項１２に記載の装置。
【請求項２１】
分与装置を用いて固体医薬品形態にある活性物質のユニットドーズを分与することについての情報を伝送するための方法であって、前記分与装置は、
前記活性物質を含有する複数のユニットドーズを収納するチャンバと、
ユーザによって作動させることができる指図機構と、
前記ユーザによる前記指図機構の作動に応答して、前記チャンバから単一のユニットドーズを取り出し、前記チャンバ内に格納された複数のユニットドーズから単一のユニットドーズを分与するための取り出し及び分与手段と、
前記チャンバと協働する包囲体と、
前記指図機構と協働する処理ユニット、及び、前記処理ユニットの動作のための要求される電気エネルギーを供給する電力源を収容するハウジングであって、前記処理ユニットは、前記指図機構が前記取り出し及び分与手段をトリガするように要求されるときの時間にそれぞれタイムスタンプを付与して記録するように構成されたクロック及びメモリを備える、ハウジングと、
を備え、
前記包囲体は、前記チャンバを不可逆的に包囲するように構成され、前記包囲体は、前記包囲体の完全な状態の任意の変更を証明するか、目立たせるか又は際立たせるための手段を備え、
前記取り出し及び分与手段は、ユニットドーズの前記チャンバ内への戻りを防ぐための手段を備え、
前記処理ユニットは、ヒューマンマシンインターフェースに連結され、且つ、前記ヒューマンマシンインターフェースに、前記メモリ内に記憶されているか又は前記処理ユニットによって生成された情報を出力させるように構成され、
前記方法は、
前記処理ユニットによって、各ユニットドーズが前記チャンバから取り出されて分与されるときの時間にタイムスタンプを付与するステップと、
前記メモリ内に、前記処理ユニットによって、タイムスタンプを含むユニットドーズの分与についての情報を記録するステップと、
前記処理ユニットによって、記録された情報をエンコードするステップと、
前記ヒューマンマシンインターフェースによって、エンコードされた情報を出力するステップと、
を備える、方法。
【請求項２２】
分与装置を用いて固体医薬品形態にある活性物質のユニットドーズを分与することについての情報を伝送するためのプログラム命令を格納する非一時的なコンピュータ可読媒体であって、前記分与装置は、
前記活性物質を含有する複数のユニットドーズを収納するチャンバと、
ユーザによって作動させることができる指図機構と、
前記ユーザによる前記指図機構の作動に応答して、前記チャンバから単一のユニットドーズを取り出し、前記チャンバ内に格納された複数のユニットドーズから単一のユニットドーズを分与するための取り出し及び分与手段と、
前記チャンバと協働する包囲体と、
前記指図機構と協働する処理ユニット、及び、前記処理ユニットの動作のための要求される電気エネルギーを供給する電力源を収容するハウジングであって、前記処理ユニットは、前記指図機構が前記取り出し及び分与手段をトリガするように要求されるときの時間にそれぞれタイムスタンプを付与して記録するように構成されたクロック及びメモリを備える、ハウジングと、
を備え、
前記包囲体は、前記チャンバを不可逆的に包囲するように構成され、前記包囲体は、前記包囲体の完全な状態の任意の変更を証明するか、目立たせるか又は際立たせるための手段を備え、
前記取り出し及び分与手段は、ユニットドーズの前記チャンバ内への戻りを防ぐための手段を備え、
前記処理ユニットは、ヒューマンマシンインターフェースに連結され、且つ、前記ヒューマンマシンインターフェースに、前記メモリ内に記憶されているか又は前記処理ユニットによって生成された情報を出力させるように構成され、
前記プログラム命令は、前記処理ユニットによって実行されるときに、前記処理ユニットに、
各ユニットドーズが前記チャンバから取り出されて分与されるときの時間にタイムスタンプを付与し、
前記メモリ内に、タイムスタンプを含むユニットドーズの分与についての情報を記録し、
記録された情報をエンコードし、
前記ヒューマンマシンインターフェースにエンコードされた情報を出力させる、
ようにさせる、コンピュータ可読媒体。